(57)【要約】【課題】真空容器の真空を封じるための遮蔽用開閉蓋の開閉を容易に行うことができ、また真空容器内のメンテナンス作業を安全に行うことができる電子線照射装置を提供することを課題とする。【解決手段】縦壁に電子線を照射する適数の照射窓部を有し、内部に電子線発生部を収納してなる縦長の筒状真空容器の上端または下端の少なくとも何れか一端に、筒状真空容器の横断面方向と同一平面内で横移動するようにスライド機構を設け、同スライド機構に遮蔽用開閉蓋を配置して構成してある。また同スライド機構は一対のレールあるいは円弧状のレールで構成し、また遮蔽用開閉蓋は重量物で構成してある。【選択図】          図１
2004191306.tif 000002
【特許請求の範囲】
【請求項１】
縦壁に電子線を照射する適数の照射窓部を有し、内部に電子線発生部を収納してなる縦長の筒状の真空容器の上端または下端の少なくともいずれか一端に、筒状の真空容器の横断面方向と同一平面内で横移動するようにスライド機構を設け、同スライド機構に遮蔽用開閉蓋を配置して構成したことを特徴とする電子線照射装置。
【請求項２】
スライド機構は一対のレールで構成し、同レールに重量物で構成した遮蔽用開閉蓋を配置して構成したことを特徴とする請求項１記載の電子線照射装置。
【請求項３】
筒状の真空容器の外部に沿って、円弧状のレールを設け、同レールに沿って遮蔽用開閉蓋が横移動するように構成したことを特徴とする請求項１記載の電子線照射装置。
【発明の詳細な説明】
【０００１】
【発明の属する技術分野】
本発明は主として高エネルギーの電子を発生し、これを利用するための電子線照射装置、特に真空容器を封じる蓋を有する電子線照射装置に関するものである。
【０００２】
【従来の技術】
電子線照射装置は電子線照射部が横方向に広がりをもち、電子線照射部付近特に、下方を通過する連続する容器等を搬送処理するものが一般的である。(特許文献１)
【０００３】
【特許文献１】特開平１１−１２１２公報
【０００４】
従来、電子線照射窓を有する真空容器内は、電子線の効率のよい加速のために高真空に保たれている。通常１０−３Ｐａから１０−５Ｐａ程度の真空度となっている。電子線が真空容器から大気中に取り出されるために照射部を通り抜けるか、あるいは被照射物に照射される。また照射室を構成する部材に電子線が当たるとエックス線が発生する。この場合電子線やエックス線が外部に漏洩しないように一般に遮蔽機能が付与されている。
【０００５】
また真空容器の内部に電子線発生部等を収納し、さらに真空容器内のメンテナンスのために、真空容器の上端または下端のいずれか一端に遮蔽用開閉蓋が一般的に配置して構成してある。
図５に示すように、遮蔽用開閉蓋３は内部に電子線発生部２を収納してなる真空容器１の上方に軸着して構成してある。
【０００６】
【発明が解決しようとする課題】
ところで、上記した真空容器の遮蔽用開閉蓋は、通常アルミニウム、鉄、ステンレス、鉛などを重ね合わせて構成されているため、重量が５０キログラム乃至１００キログラムとなる。
しかし、同電子線照射装置の真空容器メンテナンスの際に、遮蔽用開閉蓋を開閉すると、重量が大きいために開閉作業に手数を要し、さらに作業に危険が伴う欠点がある。
【０００７】
本発明は上記の諸点に鑑み発明したものであって、真空容器の真空を封じるための遮蔽用開閉蓋の開閉を容易に行うことができ、また真空容器内のメンテナンス作業を安全に行うことができる電子線照射装置を提供することを目的とする。
【０００８】
【課題を解決するための手段】
請求項１に記載の発明は、縦壁に電子線を照射する適数の照射窓部を有し、内部に電子線発生部を収納してなる縦長の筒状の真空容器の上端または下端の少なくともいずれか一端に、筒状の真空容器の横断面方向と同一平面内で横移動するようにスライド機構を設けて構成してある。
そして同スライド機構に遮蔽用開閉蓋を配置して構成してある。
【０００９】
請求項２に記載の発明は、請求項１に記載の電子線照射装置におけるスライド機構を一対のレールで構成し、同レールに重量物で構成した遮蔽用開閉蓋を配置して構成してある。
【００１０】
請求項３に記載の発明は、請求項１に記載の電子線照射装置における筒状の真空容器の外部に沿って、円弧状のレールを設け、同レールに沿って遮蔽用開閉蓋が横移動するように構成してある。
【００１１】
上記した請求項１乃至請求項３における電子線照射装置によると、真空容器の遮蔽用開閉蓋の開閉を容易に行うことができ、さらに真空容器内のメンテナンス作業を安全に行うことができる。
【００１２】
【発明の実施の形態】
以下本発明を図１乃至図４について説明する。図１は請求項１請求項２の発明における実施例の概略側面図、図２は概略平面図である。図１及び図２において、１1は縦長に構成された真空容器であって、例えば円筒状に構成してある。１２は電子線発生部、１３は照射窓部である。１４は真空容器１１の上端または下端の少なくともいずれか一方(図は下端と両端に配置したものは省略)に配置してなるスライド機構であって、例えば一対のレールで構成してある。１５は遮蔽用開閉蓋であって、筒状真空容器の横断面方向と同一平面内で横移動するように構成してある。遮蔽用開閉蓋は、アルミニウム、鉄、ステンレス、鉛などを重ね合わせて構成し、厚さが３ｃｍ、直径が６０ｃｍの場合、重量が１００キログラム程度となる。
【００１３】
またスライド機構１４は、真空容器１１の下端に同様に配置して構成してもよい。真空容器１１の下端にスライド機構１４を設ける機構では、真空容器１１を支持台等に載置し、真空容器１１を浮かせて構成する。また同スライド機構１４は、比較的大きい装置になると、真空容器１１の上端と下端の両方に設ける構造のものも同様に実施される。
【００１４】
図３と図４は遮蔽用開閉蓋１５を、筒状の真空容器１１の横断面方向と同一平面内で横移動するための他の構造を示すものである。図３と図４に示す構造は、筒状の真空容器の一部に一対の支持台２１を設け、同一対の支持台の間に円弧状のレール２２を設け、同レール２２に沿って遮蔽用開閉蓋が横移動するように構成してある。２３は遮蔽用開閉蓋のレール２２に対応する外端に配置してなる掛合片である。
【００１５】
【発明の効果】
上記した請求項１乃至請求項３に記載の本発明によると、真空容器における重量の大きい遮蔽用開閉蓋の開閉を容易に行うことができ、真空容器内のメンテナンス作業を安全に行うことができる特別な効果がある。
さらに、重量の大きい遮蔽用開閉蓋を高所方向に持ち上げる必要がないため、作業性が向上し、安全に作業を行うことができる効果がある。
【図面の簡単な説明】
【図１】本発明に係る電子線照射装置の側面図。
【図２】図１に示す電子線照射装置の平面図。
【図３】図１に示す電子線照射装置における他のスライド機構の一部側面図。
【図４】図３に示す電子線照射装置における他のスライド機構の平面図。
【図５】従来の電子線照射装置の側面図。
【符号の説明】
１1  真空容器
１２  電子線発生部
１３  照射窓部
１４  スライド機構
１５  遮蔽用開閉蓋
２１  支持台
２２  レール
２３  掛合片
【図１】
2004191306.tif 000003
【図２】
2004191306.tif 000004
【図３】
2004191306.tif 000005
【図４】
2004191306.tif 000006
【図５】
2004191306.tif 000007